(57)【要約】      （修正有）【課題】簡便に効率的に水位を調節する水位調節装置を提供する。【解決手段】圃場７に給水する際、水位調節装置のバルブ２８の開閉により、可動栓が動作し、圃場７の低水位である水位または、高水位である水位の２段階に調節することができる。また、圃場７の水位を高水位に調節する際、水路を妨げるのは、水位調節管２０の可動機構のみのため、暗渠排水管５０を通る水を効率的に、高水位管４０へと流すことができる。さらに、水を高水位に調節する際、新たな設定を必要とせず、バルブ２８を閉める工程のみを実施すればよいので、簡便に水位調節を行うことができる。【選択図】図２
0003180623.tif 000002
【実用新案登録請求の範囲】
【請求項１】
地下に略水平に埋設された管であって、一端が排水路に繋がる抵水位管と、
前記低水位管から上方に伸びる管であって、当該上端が地表上に伸びる水位調節管と、
前記低水位管から分岐し、前記水位調節管と端部以外で接続する水路変更管と、
前記水位調節管から分岐する管であって、前記低水位管よりも高い位置に埋設され、排水路に繋がる高水位管と、
前記水位調節管の中で、上下動可能であり、かつ、少なくとも、前記水位調節管と前記低水位管とが接合する位置で管内を閉塞させる可動栓と
を有する水位調節装置。
【請求項２】
前記低水位管の他端は、圃場に埋設された暗渠排水管と接続し、
暗渠排水管から流れる水は、前記低水位管へと流れる
請求項１に記載の水位調節装置。
【請求項３】
前記水位調節管の中に設けられ、前記可動栓を上下動させる可動機構と、
前記可動機構を操作するための操作部と
を有する請求項１に記載の水位調節装置。
【考案の詳細な説明】
【技術分野】
【０００１】
本考案は、水位調節装置に関する。
【背景技術】
【０００２】
例えば、特許文献１には、鉛直方向に設置した有底筒状の水位調節桝の底部に、圃場に埋設した暗渠排水管に接続して上向きに開口する水位調節口と、水位調節枡内の用水を排水路に排出するための排水口とを設けるとともに、前記水位調節口に水位調節パイプを着脱可能に装着した水位調節装置であって、前記水位調節パイプは、前記水位調節口に下端が着脱可能に装着される下部パイプと、該下部パイプの上端に着脱可能に連結される上部パイプと、該上部パイプの上端に軸方向にスライド可能に装着されるスライドパイプとを一体的に有しており、前記下部パイプの下端を前記水位調節口に装着して該下部パイプと前記上部パイプとを離間させたときに、下部パイプの上端によって畑作時における地下灌漑用水位が設定され、前記下部パイプの上端に前記上部パイプを連結した状態で前記スライドパイプを下方に押し下げたときのスライドパイプの上端開口位置によって稲作時における地下水位が設定され、スライドパイプを上部パイプに対して上下方向にスライドさせたときのスライドパイプの上端開口位置によって稲作時における潅水水位を調節できるように形成されていることを特徴とする水位調節装置が開示されている。
【先行技術文献】
【特許文献】
【０００３】
【特許文献１】特開２００４−６５０３８号公報
【考案の概要】
【考案が解決しようとする課題】
【０００４】
簡便に効率的に水位を調節する水位調節装置を提供することを目的とする。
【課題を解決するための手段】
【０００５】
本考案に係る水位調節装置は、地下に略水平に埋設された管であって、一端が排水路に繋がる抵水位管と、前記低水位管から上方に伸びる管であって、当該上端が地表上に伸びる水位調節管と、前記低水位管から分岐し、前記水位調節管と端部以外で接続する水路変更管と、前記水位調節管から分岐する管であって、前記低水位管よりも高い位置に埋設され、排水路に繋がる高水位管と、前記水位調節管の中で、上下動可能であり、かつ、少なくとも、前記水位調節管と前記低水位管とが接合する位置で管内を閉塞させる可動栓とを有する。
【０００６】
好適には、前記低水位管の他端は、圃場に埋設された暗渠排水管と接続し、暗渠排水管から流れる水は、前記低水位管へと流れる。
【０００７】
好適には、前記水位調節管の中に設けられ、前記可動栓を上下動させる可動機構と、前記可動機構を操作するための操作部とを有する。
【考案の効果】
【０００８】
簡便に効率的に水位を調節する。
【図面の簡単な説明】
【０００９】
【図１】水位調節装置１を正面から撮影した写真である。
【図２】水位調節装置１の正面図である。
【図３】水位調節装置１の断面図である。
【図４】水位調節管２０の断面図である。
【考案を実施するための形態】
【００１０】
以下、本考案の実施形態を、図面を参照して説明する。
図１は、水位調節装置１を正面から撮影した写真である。
図１に例示するように、水位調節装置１は、低水位管１０、水位調節管２０、水路変更管３０、及び、高水位管４０を有する。
【００１１】
図２は、本考案の水位調節装置１の正面図である。
図２に例示するように、水位調節装置１は、圃場７を区画する畦畔３に、バルブ２８が地表５に突出するように設置され、地下では、水位調節装置１は、暗渠排水管５０と、排水路６０と繋がっている。暗渠排水管５０には、複数の孔５２が形成されており、暗渠排水管５０は、複数の孔５２から土壌中の過剰水を吸収し、排水路６０へと排出する。
【００１２】
本実施形態では、図３に例示するように、水流９a〜９ｃは、水位調節装置１において、低水位管１０と平行に設置される管を流れる水であり、低水位管１０と平行に設置される管を流れる水は、管の下端部を流れる。
また、本実施形態においては、図３に例示する高さ１１aと高さ１１ｂとが等しい場合、または、高さ１１aが高さ１１ｂよりも高い場合を説明する。高さ１１aは、水路変更管３０を流れる水の最も高い水位である。高さ１１ｂは、高水位管４０を流れる水の最も高い水位である。
さらに、本例では、基準線１５を設け、基準線１５から測定した水流９aの水位を水位１３a、基準線１５から測定した水流９ｂの水位を水位１３ｂ、基準線１５から測定した水流９ｃの水位を水位１３ｃとする。
【００１３】
水位調節装置１に用いられる管には、Ｖｕ管が用いられる。Ｖｕ管の素材は、硬質合成樹脂等により形成された筒状体であり、例えば、硬質塩化ビニルで形成される。Ｖｕ管の呼び径は、７５ｍｍである。管と管とを接続には、継手が用いられ、継手の直径は、７５ｍｍである。さらに、継手と管との接続には、専用接着剤を使用され、接着後、継手と管とは、一体化し、水密性が確保される。また、水位調節装置１に用いられる水閘の直径は７５ｍｍである。
【００１４】
低水位管１０は、地下に略水平に埋設された管であって、一端が排水路６０に繋がる。
低水位管１０は、暗渠連結管１２と、Ｙ連結管１４と、水閘１６と排口管１８とを有する。
具体的には、低水位管１０は、低水位管１０の一端に設けられた暗渠連結管１２により、暗渠排水管５０と低水位管１０とを接続している。本例の低水位管１０には、暗渠連結管１２に、継手としてインクリーザを用い、暗渠連結管１２により、低水位管１０と、暗渠排水管５０とが、接続し、一体化している。また、暗渠連結管１２の水平方向の長さは、およそ１００ｍｍ程度である。
Ｙ連結管１４は、暗渠連結管１２と、水路変更管３０と、水閘１６とを接続し、Ｙ連結管１４は、水路変更管３０と、低水位管１０とを一体化している。Ｙ連結管１４には、９０度Ｙ管を用い、Ｙ連結管１４の水平方向の長さは、およそ１７７ｍｍ程度である。
水閘１６は、Ｙ連結管１４と、排口管１８と、水位調節管２０とを接続し、水位調節管２０と、低水位管１０とを一体化している。水閘１６の水平方向の長さはおよそ２６０ｍｍ程度である。
排口管１８は、水閘１６と接続され、排口管１８の他端は、排水路６０に繋がる。
【００１５】
水位調節管２０は、低水位管１０から上方に伸びる管であって、管の上端が地表５上に伸びている。
水位調節管２０は、Ｙ連結管２２と、Ｙ連結管２４と、シリンダー２６と、バルブ２８とを有する。
具体的には、Ｙ連結管２２は、水閘１６と、高水位管４０とを接続し、Ｙ連結管２２は、高水位管４０と、水位調節管２０と接続している。Ｙ連結管２２には、４５度Ｙ管を用い、Ｙ連結管２２の垂直方向の長さは、およそ２１２ｍｍである。
Ｙ連結管２４は、シリンダー２６と、水路変更管３０とを接続し、Ｙ連結管２４は、水位調節管２０と、水路変更管３０とを接続している。Ｙ連結管２４には、９０度Ｙ管を用い、Ｙ連結管２４の垂直方向の長さは、およそ１７７ｍｍである。
シリンダー２６は、直径７５ｍｍの管であり、図４に例示されるように、シリンダー２６の内部には、可動棒２００が格納される。可動棒２００は、本考案の可動機構の一例である。シリンダー２６の垂直方向の長さは、水位調節装置１を地下に設置した際に、バルブ２８が地表５に突出するように適宜長さを変更されればよい。
バルブ２８は、可動機構２００を操作し、バルブ２８は、本考案の操作部の一例である。
【００１６】
水路変更管３０は、低水位管１０から分岐し、水位調節管２０と端部以外で接続する。具体的には、水路変更管３０は、エルボ連結部３２と、水路管３４と、水路管３６とを有する。エルボ連結部３２には、９０度エルボを使用する。エルボとは、互いに角度をなす二つの管の接続に用いられ、曲率半径が比較的小さい継手である。
水路管３４は、Ｙ連結管１４と繋がり、暗渠排水管５０から流れる水の水路である。水路管３４の垂直方向の長さは、およそ２１２ｍｍである。
水路管３６は、エルボ連結管３２とＹ連結管２４と繋がる。
【００１７】
高水位管４０は、水位調節管２０から分岐する管であって、低水位管１０よりも高い位置に埋設され、排水路６０に繋がる。高水位管４０は、水路管４２と、エルボ連結管４４と、排口管４６と、ネジ式水閘４８とを有する。エルボ連結管４４には、４５度エルボを使用し、エルボ連結管４４は、水路管４２と、排口管４６とを接続する。
ネジ式水閘４８は、ねじ式水閘４８の先にキャップが設けられ、キャップの回転により全閉全開する栓である。ネジ式水閘４８のキャップを開けた場合に、高水位管４０を通る水は、排水路６０へと排出される。
【００１８】
また、図４に例示するように、水位調節管２０の内部には、バルブ２８と繋がる可動機構２００と、可動機構２００と接続した可動栓２０２とから構成される。
可動機構２００は、水位調節管２０の中に設けられ、可動栓２０２を上下動させる。
可動栓２０２は、水位調節管２０の中で、上下動可能であり、かつ、少なくとも、水位調節管２０と低水位管１０とが接合する位置で管内を閉塞させる。
具体的には、可動栓２０２の大きさは、低水位管１０の水閘１６の水路を塞ぐ大きさであり、可動栓２０２には、丸ゴムを使用する。可動栓２０２は、止水効果が高く、外圧による損傷が小さい。
【００１９】
図４は、水位調節管２０内の構成を説明する図である。
図４（a）に例示されるように、バルブ２８を開いた場合、バルブ２８と繋がる可動機構２００は、押し下げられ、可動機構２００に繋がる可動栓２０２は、低水位管１０の水閘１６の水平方向の水路が確保され、暗渠排水管５０から低水位管１０へと流れた水は、水閘１６を通って排口管１８へ流れる。したがって、バルブ２８を開けた状態において、圃場７に給水する際、圃場７に給水された水が、図３に示される水位１３ｂの高さに達した場合、過剰な水は、暗渠排水管５０の孔５２から吸収され、低水位管１０へ流れ、排水路６０へ排出される。これにより、水位１３aに保たれる。
図４（ｂ）に示されるように、バルブ２８を閉めた場合、バルブ２８と繋がる可動機構２００が下がり、可動機構２００と繋がる可動栓２０２は、低水位管１０の水閘１６の水路を塞ぐ。よって、暗渠排水管５０から低水位管１０へと流れた水は、水閘１６を通り、排口管１８へ流れることができない。したがって、バルブ２８を閉めた状態において、圃場７に給水する際、圃場に給水された水は、水位１３aの高さに達した場合、暗渠排水管５０の孔５２から吸収され、バルブ２８により水路が閉鎖された可動栓２００まで流れる。さらに給水を続け、水位が１３aを超えた場合は、水は、水路変更管３０へと流れる。圃場に給水された水が、図３に示される水位１３ｂの高さに達した場合、水は、水路変更管３０の水路管３６を通り、高水位管４０へと流れ、排水路６０へ排出される。これにより、水位は、１３bに保たれる。
【００２０】
以上説明した構成により、圃場７に給水する際、バルブ２８を開けた状態においては、暗渠排水管５０を通る水は、低水位管１０を通り、排水路６０へ排出される。つまり水位は、低水位管１０を流れる水の水位１３aに保たれる。一方で、バルブ２８を閉じた状態においては、可動栓２０２が低水位管１０の水路を遮ることにより、水の水位が水位１３ｂに達すると、水は、暗渠排水管５０から水路変更管３０を通り、高水位管４０を通って排水路６０に排出される。つまり水位は、水路変更管３０を流れる水の水位１３ｂに保たれる。
よって、水位調節装置１は、圃場の水位を、低水位である低水位管１０を流れる水の水位１３a、または、高水位である水路変更管３０を流れる水の水位１３ｂの高さの２段階に調節することができる。
また、水を高水位に調節する際、水位調節装置１内の水路を妨げるのは、水位調節管２０の可動機構２００のみのため、暗渠排水管５０を通る水を効率的に、高水位管４０へと流すことができる。さらに、水を高水位に調節する際、新たな設定を必要とせず、バルブ２８を閉める工程のみを実施すればよいので、簡便に水位調節を行うことができる。
【００２１】
次に、上記実施形態の変形例を説明する。
本実施形態では、水位調節装置１において、高さ１１aと高さ１１ｂとが等しい場合、または、高さ１１aが高さ１１ｂよりも高い場合を説明しているが、これに限定されるものではなく、高さ１１aが高さ１１ｂよりも低い場合は、バルブ２８を閉じた際に、圃場７の水位は、図３に例示される水流９ｃの水位である水位１３ｃの高さに調節される。
また、本実施形態では、可動栓２０２には、丸ゴムを使用しているが、水閘１６の水路を閉鎖し、止水効果が高く、外圧による損傷が小さいものであれば、これに限定されるものではなく、例えば、板状の仕切り弁でもよい。
【符号の説明】
【００２２】
１…水位調節装置
３…畦畔
５…地表
７…圃場
９…水流
１０…低水位管
１１…高さ
１３…水流の水位
１２…暗渠連結管
１４…Ｙ連結管
１５…基準線
１６…水閘
１８…排口管
２０…水位調節管
２２…Ｙ連結管
２４…Ｙ連結管
２６…シリンダー
２８…バルブ
３０…水路変更管
３２…エルボ連結管
３４…水路管
３６…水路管
４０…高水位管
４２…水路管
４４…エルボ連結管
４６…排口管
４８…ねじ式水閘
５０…暗渠排水管
５２…孔
６０…排水路
２００…可動機構
２０２…可動栓
【図１】
0003180623.tif 000003
【図２】
0003180623.tif 000004
【図３】
0003180623.tif 000005
【図４】
0003180623.tif 000006